(57)【要約】【課題】光ディスクや光磁気ディスク等の記録媒体を装置内に搬送して、その記録媒体に記録及び再生を行うディスクドライブ装置の、装置内に記録媒体を収納或いは突出するために前面部に設けられた挿入口からの塵埃進入を防止する。【解決手段】メカシャーシ３の開口穴３ａ及びドアフレーム４の開口穴４ａの周囲に気密材シート５を貼り付け、気密材シート５と当接して開口穴３ａ及び４ａを閉塞する、先端に軸部６ｄを形成し且つ中間位置に突起ピン６ｅを形成した一対のアーム部６ｃを左右両端に設けたフロントドア６と、フロントドア６の軸部６ｄを矢印Ａ−Ｂ方向に回転可能及び矢印Ｙ１−Ｙ２方向に移動可能なように支持するガイド穴４ｃと、フロントドア６の突起ピン６ｅを矢印Ａ−Ｂ方向に回転可能及び矢印Ｙ１−Ｙ２方向に移動可能なように支持するカム４ｄと、フロントドア６を閉状態にするべく付勢する戻しばね７とを設けた。【選択図】図４
2005327329.tif 000002
【特許請求の範囲】
【請求項１】
装置前面に設けられた開口部を通して、前記装置内に記録媒体を収納或いは突出する装置であって、
前記記録媒体を載置して前記記録媒体の主面と平行な略水平方向に移動可能なトレイと、前記記録媒体をターンテーブル上に保持して記録または再生する記録再生部と、前記トレイを装置外に突出させて前記記録媒体の着脱を行う着脱位置と、前記トレイを前記装置内に収納させて前記記録媒体を記録再生する記録再生位置との間に亘って、前記記録媒体を往復搬送するトレイ移送手段と、前記記録再生部を略垂直方向に移動させて前記ターンテーブル上に前記記録媒体を保持する昇降手段と、前記開口部の縁部周囲と当接することで前記開口部を閉塞するフロントドア開閉機構とを有し、前記フロントドア開閉機構に、前記開口部の縁部周囲に気密部材を取り付け、前記気密部材と当接して前記開口部を閉塞する、先端に軸部を形成し且つ中間位置に突起部を形成した一対の腕部を左右両端に設けたフロントドアと、前記フロントドアの前記軸部を回転可能及び前記トレイの移動方向と略平行に移動可能なように支持するガイド部と、前記フロントドアの前記突起部を回転可能及び前記トレイの移動方向と略平行に移動可能なよう支持するカム部と、前記フロントドアを閉状態にするべく付勢する付勢手段とを設けて、前記トレイの移動に伴って前記フロントドアが回転するとともに、前記昇降手段の移動に伴って前記フロントドアが前記トレイの移動方向と略平行に移動するように構成したことを特徴とするディスクドライブ装置。
【請求項２】
前記付勢手段の単一の部品が、前記フロントドアを閉方向に回転させる付勢と、前記トレイが記録再生位置から着脱位置へ移動する方向に、前記フロントドアを移動させる付勢を兼ねるように構成したことを特徴とする請求項１記載のディスクドライブ装置。
【請求項３】
前記装置内に、前記記録媒体をターンテーブル上に保持して記録または再生する複数の前記記録再生部と、複数の前記記録再生部を選択的に略垂直方向に移動させて前記ターンテーブル上に前記記録媒体を保持する昇降手段と、前記トレイを複数の前記記録再生部の配置位置に往復搬送する記録再生部選択手段とを有し、前記フロントドア開閉機構に、前記フロントドアの前記軸部と係合するカム部を形成するとともに、複数の前記記録再生部と係合する突起部を形成したドアレバーを設けて、前記トレイの移動に伴って前記フロントドアが回転するとともに、前記昇降手段の選択的な移動に伴って、前記フロントドアが前記トレイの移動方向と略平行に移動するように構成したことを特徴とする請求項１記載のディスクドライブ装置。
【請求項４】
前記フロントドアの前記軸部を、ねじ頭部で構成したことを特徴とする請求項１記載のディスクドライブ装置。
【発明の詳細な説明】
【技術分野】
【０００１】
本発明は、光ディスクや光磁気ディスク等の記録媒体を装置内に搬送して、その記録媒体に記録及び再生を行うディスクドライブ装置の、装置内に記録媒体を収納或いは突出するために前面部に設けられた挿入口からの塵埃進入を防止する目的の、フロントドア開閉機構に関するものである。
【背景技術】
【０００２】
近年、光ディスクの大容量化及び高密度記録の流れが加速される中、記録パターンの狭ピッチ化や線密度の増大化が進んでいる。光ディスク及び光磁気ディスクは、記録面上にごみや塵埃が付着することによって読取りあるいは書込みのビームが遮断され、正常に情報の読み書きができなくなってしまう場合がある。
【０００３】
従来では影響の少なかった微小なごみや塵埃であってもデータの読み書きに対する影響度が増加し、装置内に侵入した微小なごみがディスクの記録面に付着すると、正常な情報の読み書きができなくなってしまうという課題がある。
【０００４】
従来の装置では、特許文献１の図１及び図２に示されるように、扉１８がバネ１９の付勢力によってフロントパネル１４に密接し、フロントパネル１４に設けられた挿入孔１７を塞いで略密閉構造となっており、また図６においても扉１８がバネ１９の付勢力によってメカカバー７（８）に密接して略密閉構造となっている。
【０００５】
また、特許文献２の図３に示されるように、フロントパネル１の開口部５の周囲に設けられた溝６に粘着されたシール部材２８に、扉２５のリブＢ２７を押圧するようにして、より密接するようにした構成のものもある。
【０００６】
さらに、特許文献３の図２に示されるように、カム部材２６の後方への移動に伴い、コイルスプリングの付勢力によってリンク部材２６が後方向へ移動することで、アーム部材１９のピン１９ａを中心に回転して閉状態となった蓋体１６を、さらに後方に向けて平行移動させるように構成したものもある。
【特許文献１】特許第２９８６９３４号公報（図１、図２）
【特許文献２】実開平４−９００９８号公報（図３）
【特許文献３】特許第２７９２９４６号公報（図２）
【発明の開示】
【発明が解決しようとする課題】
【０００７】
しかしながら、特許文献１の構成において、実際にはフロントパネル１４、扉１８及びメカカバー７（８）はお互いの平行度がずれたり、特に長手方向に反りが発生したりするものであり、そうするとバネ１９の付勢力によって扉１８を密接させようとしても必ず隙間ができてしまい、そこから塵埃が容易に侵入してしまうという欠点があった。
【０００８】
また、その欠点を補うべく考案された特許文献２の構成においても、お互いの平行度がずれたり、反りが発生した部品を隙間なく密接させるためには、それらを矯正するだけの付勢力が挿入孔１７及び開口部５の周囲全体に渡って必要となるので、結果としてバネは過大な付勢力を必要とすることになり、動作時の負荷の増大や動作音の増大につながるという問題があった。
【０００９】
さらに、特許文献３の構成においても、気密部材１８に蓋体１６の裏面縁部を密着させるべく、ピン１９ａは枢支案内部２１ａに沿わせ、ピン１９ｂは平行案内部２１ｂに沿わせて移動させることで、蓋体１６をさらに後方に向けて平行移動させるようになっているが、その時の駆動力はリンク部材２６に対するコイルスプリングの後方への付勢力のみである。従って、特許文献２の場合と同様に、お互いの平行度がずれたり、反りが発生した部品を隙間なく密接させるためには、それらを矯正するだけの付勢力が気密部材１８及び蓋体１６の裏面縁部の周囲全体に渡って必要となるので、コイルスプリングは過大な付勢力を必要とすることになり、動作時の負荷の増大や動作音の増大につながるという問題があった。その結果、トレイ１３の前方及び後方への移動に連動して蓋体１６を開閉させるという簡単な構成を実現することができず、複雑で部品点数が多いという欠点があった。
【課題を解決するための手段】
【００１０】
上記した課題を解決するために、本発明の請求項１記載のディスクドライブ装置は、記録媒体を載置して記録媒体の主面と平行な略水平方向に移動可能なトレイと、記録媒体をターンテーブル上に保持して記録または再生する記録再生部と、トレイを装置外に突出させて記録媒体の着脱を行う着脱位置と、トレイを装置内に収納させて記録媒体を記録再生する記録再生位置との間に亘って、記録媒体を往復搬送するトレイ移送手段と、記録再生部を略垂直方向に移動させてターンテーブル上に記録媒体を保持する昇降手段と、開口部の縁部周囲と当接することで開口部を閉塞するフロントドア開閉機構とを有し、フロントドア開閉機構に、開口部の縁部周囲に気密部材を取り付け、気密部材と当接して開口部を閉塞する、先端に軸部を形成し且つ中間位置に突起部を形成した一対の腕部を左右両端に設けたフロントドアと、フロントドアの軸部を回転可能及びトレイの移動方向と略平行に移動可能なように支持するガイド部と、フロントドアの突起部を回転可能及びトレイの移動方向と略平行に可能なよう支持するカム部と、フロントドアを閉状態にするべく付勢する付勢手段とを設けて、トレイの移動に伴ってフロントドアが回転するとともに、昇降手段の移動に伴ってフロントドアがトレイの移動方向と略平行に移動するように構成したことを特徴とするものである。
【００１１】
従って請求項１の発明によると、フロントドアの左右両端に設けられた腕部に形成された軸部とガイド部を、また同様にフロントドアの腕部に形成された突起部とカム部を係合させることで、記録媒体を着脱位置から記録再生位置に搬送するトレイの移動に伴って、付勢手段による付勢力によりフロントドアが閉方向に回転した後、昇降手段の移動によってフロントドアがトレイの移動方向と略平行に移動して、当接する開口部の縁部周囲に取り付けられた気密部材を圧縮するので、お互いの平行度がずれたり、長手方向に反りが発生したりしても隙間ができることはなく、塵埃の侵入を防ぐことができることになる。
【００１２】
さらに、昇降手段の移動によってフロントドアがトレイの移動方向と略平行に移動して、当接する開口部の縁部周囲に取り付けられた気密部材を圧縮するので、付勢手段の付勢力を増大させなくても隙間ができることはなく、動作時の負荷の増大や動作音の増大につながることはない。
【００１３】
また本発明の請求項２記載のディスクドライブ装置は、付勢手段の単一の部品が、フロントドアを閉方向に回転させる付勢と、トレイが記録再生位置から着脱位置へ移動する方向に、フロントドアを移動させる付勢を兼ねるように構成したことを特徴とするものである。
【００１４】
従って請求項２の発明によると、フロントドアの閉方向への回転付勢と、トレイが記録再生位置から着脱位置へ移動する方向への移動付勢を単一の部品が行うので、省スペースと最小限のコストを実現することができることになる。
【００１５】
また本発明の請求項３記載のディスクドライブ装置は、装置内に、記録媒体をターンテーブル上に保持して記録または再生する複数の記録再生部と、複数の記録再生部を選択的に略垂直方向に移動させてターンテーブル上に記録媒体を保持する昇降手段と、トレイを複数の記録再生部の配置位置に往復搬送する記録再生部選択手段とを有し、フロントドア開閉機構に、フロントドアの軸部と係合するカム部を形成するとともに、複数の記録再生部と係合する突起部を形成したドアレバーを設けて、トレイの移動に伴ってフロントドアが回転するとともに、昇降手段の選択的な移動に伴って、フロントドアがトレイの移動方向と略平行に移動するように構成したことを特徴とするものである。
【００１６】
従って請求項３の発明によると、カム部がフロントドアの軸部と係合しているドアレバーの突起部が、複数の記録再生部と係合しているので、昇降手段の選択的な移動によって、複数ある記録再生部のいずれが移動してもドアレバーが移動することになり、フロントドアがトレイの移動方向と略平行に移動して、当接する開口部の縁部周囲に取り付けられた気密部材を圧縮することができ、塵埃の侵入を防ぐことができることになる。
【００１７】
また本発明の請求項４記載のディスクドライブ装置は、フロントドアの軸部を、ねじ頭部で構成したことを特徴とするものである。
【００１８】
従って請求項４の発明によると、後工程で取付けが可能なねじの頭部をフロントドアの軸部として用いることで、安価且つ少ない部品点数で、容易な組立方法を実現することができることになる。
【発明の効果】
【００１９】
以上のように本発明によれば、請求項１に記載した発明の効果として、記録媒体を載置して記録媒体の主面と平行な略水平方向に移動可能なトレイと、記録媒体をターンテーブル上に保持して記録または再生する記録再生部と、トレイを装置外に突出させて記録媒体の着脱を行う着脱位置と、トレイを装置内に収納させて記録媒体を記録再生する記録再生位置との間に亘って、記録媒体を往復搬送するトレイ移送手段と、記録再生部を略垂直方向に移動させてターンテーブル上に記録媒体を保持する昇降手段と、開口部の縁部周囲と当接することで開口部を閉塞するフロントドア開閉機構とを有し、フロントドア開閉機構に、開口部の縁部周囲に気密部材を取り付け、気密部材と当接して開口部を閉塞する、先端に軸部を形成し且つ中間位置に突起部を形成した一対の腕部を左右両端に設けたフロントドアと、フロントドアの軸部を回転可能及びトレイの移動方向と略平行に移動可能なように支持するガイド部と、フロントドアの突起部を回転可能及びトレイの移動方向と略平行に可能なよう支持するカム部と、フロントドアを閉状態にするべく付勢する付勢手段とを設けて、トレイの移動に伴ってフロントドアが回転するとともに、昇降手段の移動に伴ってフロントドアがトレイの移動方向と略平行に移動するように構成したことにより、フロントドアの左右両端に設けられた腕部に形成された軸部とガイド部が、また同様にフロントドアの腕部に形成された突起部とカム部が係合することで、記録媒体を着脱位置から記録再生位置に搬送するトレイの移動に伴って、付勢手段による付勢力によりフロントドアが閉方向に回転した後、昇降手段の移動によってフロントドアがトレイの移動方向と略平行に移動して、当接する開口部の縁部周囲に取り付けられた気密部材を圧縮するので、お互いの平行度がずれたり、長手方向に反りが発生したりしても隙間ができることはなく、塵埃の侵入を防ぐことができるという有利な効果が得られる。
【００２０】
さらに、昇降手段の移動によってフロントドアがトレイの移動方向と略平行に移動して、当接する開口部の縁部周囲に取り付けられた気密部材を圧縮するので、付勢手段の付勢力を増大させなくても隙間ができることはなく、動作時の負荷の増大や動作音の増大につながることはないという有利な効果も得られる。
【００２１】
また請求項２に記載した発明の効果として、付勢手段の単一の部品が、フロントドアを閉方向に回転させる付勢と、トレイが記録再生位置から着脱位置へ移動する方向に、フロントドアを移動させる付勢を兼ねるように構成したことにより、フロントドアの閉方向への回転付勢と、トレイが記録再生位置から着脱位置へ移動する方向への移動付勢を単一の部品が行うので、省スペースと最小限のコストを実現することができるという有利な効果が得られる。
【００２２】
また請求項３に記載した発明の効果として、装置内に、記録媒体をターンテーブル上に保持して記録または再生する複数の記録再生部と、複数の記録再生部を選択的に略垂直方向に移動させてターンテーブル上に記録媒体を保持する昇降手段と、トレイを複数の記録再生部の配置位置に往復搬送する記録再生部選択手段とを有し、フロントドア開閉機構に、フロントドアの軸部と係合するカム部を形成するとともに、複数の記録再生部と係合する突起部を形成したドアレバーを設けて、トレイの移動に伴ってフロントドアが回転するとともに、昇降手段の選択的な移動に伴って、フロントドアがトレイの移動方向と略平行に移動するように構成したことにより、カム部がフロントドアの軸部と係合しているドアレバーの突起部が、複数の記録再生部と係合しているので、昇降手段の選択的な移動によって、複数ある記録再生部のいずれが移動してもドアレバーが移動することになり、フロントドアがトレイの移動方向と略平行に移動して、当接する開口部の縁部周囲に取り付けられた気密部材を圧縮することができ、塵埃の侵入を防ぐことができるという有利な効果が得られる。
【００２３】
また請求項４に記載した発明の効果として、フロントドアの軸部を、ねじ頭部で構成したことにより、後工程で取付けが可能なねじの頭部をフロントドアの軸部として用いることで、安価且つ少ない部品点数で、容易な組立方法を実現することができるという有利な効果が得られる。
【発明を実施するための最良の形態】
【００２４】
装置内に記録媒体を収納或いは突出するために前面部に設けられた挿入口からの塵埃進入の防止を、簡単な構成且つ少ない部品点数で、動作の安定性や品位を損ねることなく実現した。
【００２５】
（実施の形態１）
図１は、本発明の実施の形態１におけるディスクドライブ装置の全体を示す斜視図、図２は図１の上面図（トップカバー１５を除く）、図３は図１の正面図であり、図４は図２のａ−ａ断面図である。また、図５は図３のｂ−ｂ断面図であり、図６から図８は動作を説明するための、図４の部分拡大図である。
【００２６】
図１から図６において、１はトレイで、その上面側には大径段部１ａ及び小径段部１ｂを有しており、外形の異なるディスク２ａ，２ｂが載置可能となっている。
【００２７】
メカシャーシ３の前面部には、トレイ１が挿通可能な矩形状の開口穴３ａが設けられており、トレイ１はその開口穴３ａを通して、前後方向である矢印Ｙ１−Ｙ２方向に移動可能なように、メカシャーシ３に支持されている。なお、トレイ１は図示せぬトレイ移送手段により、トレイ１を装置外に突出させてディスク２ａ，２ｂの着脱を行う着脱位置と、トレイ１を装置内に収納させてディスク２ａ，２ｂを記録再生する記録再生位置との間に亘って、矢印Ｙ１−Ｙ２方向への移動及び停止が可能なように構成されている。
【００２８】
また、メカシャーシ３の開口穴３ａの部分にはドアフレーム４が固設されており、メカシャーシ３と同様にトレイ１が挿通可能な開口穴４ａが設けられているとともに、開口穴４ａの周囲にはゴムや発泡材などからなる、一体で形成された矩形環状の気密材シート５が貼り付けられている。
【００２９】
フロントドア６は、開口穴３ａ及び４ａより少し大きく形成された矩形板状のパネル６ａの裏面周囲部６ｂが、気密材シート５に当接可能となるように配置されており、これにより開口部３ａ、４ａを閉塞するように構成されている。パネル６ａの両端部には一対のアーム部６ｃが設けられるとともに、アーム部６ｃの先端内側に形成された一対の軸部６ｄが、ドアフレーム４の左右両端にある一対の袋形状部４ｂに設けられた、同じく一対のガイド穴４ｃに摺動自在に支持されている。ガイド穴４ｃは矢印Ｙ１−Ｙ２方向に伸長する長穴形状に形成されている。
【００３０】
また、アーム部６ｃの中央内側には一対の突起ピン６ｅが形成されており、同じくドアフレーム４の袋形状部４ｂに設けられたカム４ｄと移動可能に係合している。カム４ｄは矢印Ｙ１−Ｙ２方向に伸長した水平部４ｅとガイド穴４ｃを曲率の中心とする円弧部４ｆを連結した形状に形成されており、従ってフロントドア６は、矢印Ｙ１−Ｙ２方向へ移動自在であるとともに、矢印Ｙ１方向に移動した場合には矢印Ａ−Ｂ方向に回転自在となるように構成されている。
【００３１】
さらに、アーム部６ｃの先端外側に形成された一対の支持ピン６ｆには、それぞれ戻しばね７のコイル部７ａが取り付けられており、一端７ｂはアーム部６ｃのフック６ｇに掛けられ、他端７ｃはドアフレーム４の袋形状部４ｂの傾斜面４ｇに当接している。これにより、フロントドア６は矢印Ａ方向に回転するように付勢されているとともに、矢印Ｙ１方向に移動するようにも付勢されている。
【００３２】
フロントドア６の裏面の両側にはカムリブ６ｈが設けられており、トレイ１の前面部１ｃ及び下面１ｄと係合して、フロントドア６を矢印Ｙ１方向に移動させたり、矢印Ｂ方向に回転させて保持したりするようになっている。
【００３３】
装置内部には、４ヵ所のフローティング部８を介してサブベース９に取り付けられた記録再生ユニット１０が設けられており、トレイ１により装置内に収納されたディスク２ａ，２ｂを、磁力によりクランパー１１とともにターンテーブル１０ａ上に保持して回転させ、光ピックアップ１２により記録または再生するように構成されている。なお、クランパー１１はメカシャーシ３に固設されたクランプ板１４に回転可能及び上下方向である矢印Ｚ１−Ｚ２方向に移動可能に取り付けられている。
【００３４】
サブベース９は後部側面の一対の軸部９ａがメカシャーシ３の軸受け部３ｂに回転可能に取り付けられているとともに、前面部中央の昇降軸９ｂが昇降プレート１３の傾斜カム１３ａと摺動自在に係合している。昇降プレート１３は矢印Ｘ１−Ｘ２方向に移動可能なようにメカシャーシ３に取り付けられているので、昇降プレート１３の矢印Ｘ１−Ｘ２方向への移動に伴って、サブベース９が軸部９ａを中心に矢印Ｃ−Ｄ方向に回転して、記録再生ユニット１０が上昇または下降するように構成されている。なお、昇降プレート１３は図示せぬ昇降手段駆動機構により矢印Ｘ１−Ｘ２方向に移動するように構成されている。
【００３５】
また、サブベース９の前面部両側に形成された一対の駆動カム９ｃは、フロントドア６のアーム部６ｃに形成された一対の軸部６ｄの先端と係合するようになっており、サブベース９が矢印Ｃ方向に回転することで、駆動カム９ｃによって軸部６ｄ、即ちフロントドア６全体が矢印Ｙ２方向に移動するようになっている。
【００３６】
１５はトップカバーであり、メカシャーシ３に固設されて装置全体が略箱状に形成されている。なお、このトップカバー１５で装置全体が防塵されていることはいうまでもない。
【００３７】
以上のように構成されたディスクドライブ装置について、図１、図３及び図６から図８を用いて、以下その動作を説明する。
【００３８】
まず、図１及び図８に示すようにトレイ１を装置外に突出させて着脱位置に停止させ、大径段部１ａ或いは小径段部１ｂにディスク２ａ，２ｂを載置する。この時フロントドア６は、突起ピン６ｅがドアフレーム４のカム４ｄの円弧部４ｆと係合して回転自在な状態なので、戻しばね７の付勢力により矢印Ａ方向に回転しようとするが、フロントドア６のカムリブ６ｈがトレイ１の下面１ｄと係合しており、図に示す開状態で保持されている。
【００３９】
また、図３（ｂ）に示すように、この時昇降プレート１３は矢印Ｘ２方向に移動した状態となっているので、サブベース９は昇降軸９ｂが昇降プレート１３の傾斜カム１３ａにより駆動されて矢印Ｄ方向に回転し、昇降軸９ｂが傾斜カム１３ａの下段１３ｂと係合している下降位置となっており、従って記録再生ユニット１０も下降位置の状態にある。
【００４０】
次に、記録再生の指令を出すと、トレイ移送手段によりトレイ１が矢印Ｙ２方向に移動して、記録再生位置である図７の状態で停止する。するとフロントドア６は、カムリブ６ｈとトレイ１の下面１ｄ及び前面部１ｃとの係合が外れるので、戻しばね７の付勢力により矢印Ａ方向に回転して閉状態となる。この時、フロントドア６のパネル６ａの裏面周囲部６ｂと気密材シート５の間にはまだ隙間αが開いている状態である。また、フロントドア６の突起ピン６ｅはドアフレーム４のカム４ｄの円弧部４ｆと水平部４ｅの切換点に位置しており、フロントドア６は矢印Ｂ方向或いは矢印Ｙ２方向のどちらにも動作が可能な状態にある。
【００４１】
また、戻しばね７は一端７ｂと他端７ｃとの配置角度βにより発生する分力で矢印Ｙ１方向に移動するので、コイル部７ａと係合しているフロントドア６の支持ピン６ｆが駆動されて、フロントドア６も矢印Ｙ１方向に移動している。
【００４２】
続けて、昇降手段駆動機構により昇降プレート１３が矢印Ｘ１方向に移動するので、サブベース９は昇降軸９ｂが昇降プレート１３の傾斜カム１３ａにより駆動されて矢印Ｃ方向に回転し、昇降軸９ｂが傾斜カム１３ａの上段１３ｃと係合する、図３（ａ）に示す上昇位置となる。従って記録再生ユニット１０も上昇位置となり、記録再生ユニット１０のターンテーブル１０ａ上にディスク２ａ，２ｂをクランパー１１とともに保持した、図６に示す状態になる。
【００４３】
この時、サブベース９の矢印Ｃ方向への回転に伴い、サブベース９の駆動カム９ｃがフロントドア６の軸部６ｄを矢印Ｙ２方向に移動させるとともに、フロントドア６の突起ピン６ｅがドアフレーム４のカム４ｄの水平部４ｅと係合するので、フロントドア６全体が矢印Ｙ２方向に移動することになる。すると、フロントドア６のパネル６ａの裏面周囲部６と気密材シート５が当接した後、圧縮されるので隙間がなくなり、開口穴３ａ及び４ａが閉塞された状態になる。
【００４４】
そして、記録再生ユニット１０上のディスク２ａ，２ｂを回転させ、光ピックアップ１２により記録または再生が開始される。
【００４５】
次に、記録再生が終了し、ディスク２ａ，２ｂを回収するべく指令を出すと、前記とは逆の動作となり、図６に示す状態から昇降手段駆動機構により昇降プレート１３が矢印Ｘ２方向に移動するので、サブベース９が矢印Ｄ方向に回転して、サブベース９及び記録再生ユニット１０が、図３（ｂ）に示す下降位置になるとともに、ディスク２ａ，２ｂはトレイ１の大径段部１ａ或いは小径段部１ｂに戻される。
【００４６】
同時に、サブベース９の矢印Ｄ方向への回転に伴い、サブベース９の駆動カム９ｃとフロントドア６の軸部６ｄとの係合が外れるので、フロントドア６は戻しばね７の付勢力によって矢印Ｙ１方向へ移動する。なお、突起ピン６ｅがドアフレーム４のカム４ｄの水平部４ｅと係合しているので、この時にフロントドア６が矢印Ｂ方向に回転することはない。
【００４７】
その後、図７に示すように、フロントドア６の突起ピン６ｅがドアフレーム４のカム４ｄの円弧部４ｆと水平部４ｅの切換点に位置する、フロントドア６が矢印Ｂ方向或いは矢印Ｙ２方向のどちらにも動作が可能な状態に戻る。また、フロントドア６のパネル６ａの裏面周囲部６ｂも、気密材シート５との間に隙間αが開いた状態に戻る。
【００４８】
続けて、トレイ移送手段によりトレイ１が矢印Ｙ１方向に移動して、トレイ１の前面部１ｃにフロントドア６のカムリブ６ｈが当接するので、フロントドア６は、戻しばね７の付勢力に逆らって矢印Ｂ方向に回転する。そして、フロントドア６が図８に示す状態まで回転すると、カムリブ６ｈはトレイ１の下面１ｄと当接するようになるので、フロントドア６はその開状態で保持されたまま、トレイ１はさらに矢印Ｙ１方向に移動して着脱位置となり停止する。
【００４９】
そして、ディスク２ａ，２ｂを回収することができる。
【００５０】
以上のように本実施例によれば、請求項１に記載した発明に関し、ディスク２ａ，２ｂを載置して矢印Ｙ１−Ｙ２方向に移動可能なトレイ１と、ディスク２ａ，２ｂをターンテーブル１０ａ上にクランパー１１とともに保持して回転させ、光ピックアップ１２により記録または再生する記録再生ユニット１０と、トレイ１を装置外に突出させてディスク２ａ，２ｂの着脱を行う着脱位置と、トレイ１を装置内に収納させてディスク２ａ，２ｂを記録再生する記録再生位置との間に亘って、ディスク２ａ，２ｂを往復搬送するトレイ移送手段と、記録再生ユニット１０を矢印Ｃ−Ｄ方向に回転させてターンテーブル１０ａ上にディスク２ａ，２ｂをクランパー１１とともに保持するサブベース９と、メカシャーシ３の開口穴３ａ及びドアフレーム４の開口穴４ａの周囲と当接することで開口穴３ａ及び４ａを閉塞するフロントドア６を有し、開口穴３ａ及び４ａの周囲に気密材シート５を貼り付け、気密材シート５と当接して開口穴３ａ及び４ａを閉塞する、先端に軸部６ｄを形成し且つ中間位置に突起ピン６ｅを形成した一対のアーム部６ｃを左右両端に設けたフロントドア６と、フロントドア６の軸部６ｄを矢印Ａ−Ｂ方向に回転可能及び矢印Ｙ１−Ｙ２方向に移動可能なように支持するガイド穴４ｃと、フロントドア６の突起ピン６ｅを矢印Ａ−Ｂ方向に回転可能及び矢印Ｙ１−Ｙ２方向に移動可能なように支持するカム４ｄと、フロントドア６を矢印Ａ方向及び矢印Ｙ１方向に付勢する戻しばね７とを設けて、トレイ１の矢印Ｙ１−Ｙ２方向への移動に伴ってフロントドア６が矢印Ａ−Ｂ方向に回転するとともに、サブベース９の矢印Ｃ−Ｄ方向への回転に伴ってフロントドア６が矢印Ｙ１−Ｙ２方向に移動するように構成したことにより、フロントドア６の左右両端に設けられたアーム部６ｃに形成された軸部６ｄとガイド穴４ｃが、また同様にフロントドア６のアーム部６ｃに形成された突起ピン６ｅとカム４ｄが係合することで、ディスク２ａ，２ｂを着脱位置から記録再生位置に搬送するトレイ１の矢印Ｙ２方向への移動に伴って、戻しばね７による付勢力によりフロントドア６が矢印Ａ方向に回転した後、サブベース９の矢印Ｃ方向への回転によってフロントドア６が矢印Ｙ２方向に移動して、当接する開口穴３ａ及び４ａの周囲に取り付けられた気密材シート５を圧縮するので、お互いの平行度がずれたり、長手方向に反りが発生したりしても隙間ができることはなく、塵埃の侵入を防ぐことができるという有利な効果が得られる。
【００５１】
さらに、サブベース９の矢印Ｃ方向への回転によってフロントドア６が矢印Ｙ２方向に移動して、当接する開口穴３ａ及び４ａの周囲に取り付けられた気密材シート５を圧縮するので、戻しばね７の付勢力を増大させなくても隙間ができることはなく、動作時の負荷の増大や動作音の増大につながることはないという有利な効果も得られる。
【００５２】
また請求項２に記載した発明に関し、戻しばね７の単一の部品が、フロントドア６を矢印Ａ方向に回転させる付勢と、矢印Ｙ１方向に移動させる付勢を兼ねるように構成したことにより、フロントドア６の矢印Ａ方向への回転付勢と、矢印Ｙ１方向への移動付勢を単一の部品が行うので、省スペースと最小限のコストを実現することができるいう有利な効果が得られる。
【００５３】
（実施の形態２）
図９は、本発明の実施の形態２におけるディスクドライブ装置の全体を示す斜視図、図１０と図１１は図９の上面図（トップカバー１５を除く）、図１２は図９の正面図であり、図１３は図１０のａ−ａ断面図である。また、図１４は図１２のｂ−ｂ断面図であり、図１５から図１７は動作を説明するための、図１３の部分拡大図である。
【００５４】
なお、実施の形態２については、実施の形態１と異なる部分のみを説明することとし、実施の形態１と同一の部品には同じ部品名称と番号を付与し、構成についての説明は省略する。
【００５５】
図９から図１５において、１はトレイで、その上面側には大径段部１ａ、小径段部１ｂに加えカートリッジ段部１ｅを有しており、外形の異なるディスク２ａ，２ｂ及び内部にディスク２ｃを有しているカートリッジ２ｄが載置可能となっている。なお、通常カートリッジ２ｄにはカートリッジシャッター開閉機構があるが、構成及び動作についてもここでは説明を省略する。
【００５６】
メカシャーシ３の前面部右側には、実施の形態１と同様にトレイ１が挿通可能な矩形状の開口穴３ａが設けられ、トレイ１は、その開口穴３ａを通して前後方向である矢印Ｙ１−Ｙ２方向に移動可能となっており、メカシャーシ３に固設されたガイド軸１６及びガイド板１７に、左右方向である矢印Ｘ１−Ｘ２方向に移動自在に取り付けられたスライドベース１８に支持されている。
【００５７】
スライドベース１８は、図示せぬスライドベース移動手段により矢印Ｘ１−Ｘ２方向に移動可能となっており、スライドベース１８が矢印Ｘ２方向に移動完了した状態である第一記録再生位置では、図示せぬトレイ移送手段により、トレイ１を着脱位置と記録再生位置との間に亘って矢印Ｙ１−Ｙ２方向に移動及び停止させることが可能となっている。また、第一記録再生位置から、スライドベース１８が矢印Ｘ１方向に移動完了した状態である第二記録再生位置に向けては、スライドベース１８は、記録再生位置でスライドベース１８に支持されて停止しているトレイ１とともに移動するように構成されている。
【００５８】
ドアフレーム４の裏面となる装置内部側にはドアレバー１９が設けられており、一対の軸部１９ａがドアフレーム４の袋形状部４ｂの裏面に設けられた一対の軸受け４ｈに回転自在に支持されているとともに、一対の側面カム部１９ｂはフロントドア６のアーム部６ｃに形成された一対の軸部６ｄの先端と係合するようになっている。従って、実施の形態１の説明にあるように、通常フロントドア６は、戻しばね７により矢印Ａ方向に回転するように付勢されているとともに、矢印Ｙ１方向に移動するようにも付勢されているが、ドアレバー１９が矢印Ｅ方向に回転すると、カム部１９ｂによって軸部６ｄ、即ちフロントドア６全体が矢印Ｙ２方向に移動するように構成されている。なお、ドアレバー１９は、レバー戻しばね２０によって矢印Ｆ方向に回転するように付勢されている。
【００５９】
装置内部には、記録再生ユニット１０に加え、矢印Ｘ１−Ｘ２方向に並べて配置する形で、４ヵ所のフローティング部２１を介してサブベース２２に取り付けられた記録再生ユニット２３が設けられており、トレイ１により装置内に収納されたディスク２ａ，２ｂ及びカートリッジ２ｄ内のディスク２ｃを、クランパー１１とともに、記録再生ユニット１０のターンテーブル１０ａ上に保持し回転させて光ピックアップ１２により記録または再生、或いは記録再生ユニット２３のターンテーブル２３ａ上に保持し回転させて光ピックアップ２４により記録または再生するように構成されている。なお、クランパー１１はスライドベース１８に固設されたクランプ板１４に回転可能及び上下方向である矢印Ｚ１−Ｚ２方向に移動可能に取り付けられている。従って、クランパー１１及びクランプ板１４はスライドベース１８とともに矢印Ｘ１−Ｘ２方向に移動可能で、第一記録再生位置または第二記録再生位置で停止するようになっている。
【００６０】
サブベース９と同様に、サブベース２２は後部側面の一対の軸部２２ａがメカシャーシ３の軸受け部３ｃに回転可能に取り付けられているとともに、前面部中央の昇降軸２２ｂが昇降プレート２５の傾斜カム２５ａと摺動自在に係合している。また昇降プレート１３と同様に、昇降プレート２５は矢印Ｘ１−Ｘ２方向に移動可能なようにメカシャーシ３に取り付けられているので、昇降プレート２５の矢印Ｘ１−Ｘ２方向への移動に伴って、サブベース２２が軸部２２ａを中心に矢印Ｃ−Ｄ方向に回転して、記録再生ユニット２３が上昇または下降するように構成されている。なお、昇降プレート１３及び昇降プレート２５は図示せぬ昇降手段駆動機構により、選択的に矢印Ｘ１−Ｘ２方向に移動するように構成されている。
【００６１】
また、サブベース９の前面部右側に形成された駆動板部９ｄは、ドアレバー１９の右側の右突起カム１９ｃと係合するようになっており、サブベース９が矢印Ｃ方向に回転することで、ドアレバー１９が矢印Ｅ方向に回転するようになっている。同様に、サブベース２２の前面部右側に形成された駆動板部２２ｃは、ドアレバー１９の左側の左突起カム１９ｄと係合するようになっており、サブベース２２が矢印Ｃ方向に回転することでも、ドアレバー１９が矢印Ｅ方向に回転するようになっている。
【００６２】
以上のように、実施の形態２のディスクドライブ装置では、トレイ１に載置されるディスク２ａ，２ｂ及び内部にディスク２ｃを有しているカートリッジ２ｄの種類によって、記録再生ユニット１０或いは２３を選択するようになっており、例えばＣＤは第一記録再生位置である記録再生ユニット１０で、ＤＶＤは第二記録再生位置である記録再生ユニット２３で記録再生するといった構成や、単体のディスク２ａ，２ｂは第一記録再生位置である記録再生ユニット１０で、内部にディスク２ｃを有しているカートリッジ２ｄは第二記録再生位置である記録再生ユニット２３で記録再生するといった構成を採ることが可能となっている。
【００６３】
以上のように構成されたディスクドライブ装置について、図６から図１２及び図１５から図１７を用いて、以下その動作を説明する。
【００６４】
まず、図１０に示すスライドベース１８が矢印Ｘ２方向に移動完了した第一記録再生位置にある状態から、図９及び図１７に示すように、トレイ１を装置外に突出させて着脱位置に停止させ、大径段部１ａ、小径段部１ｂ或いはカートリッジ段部１ｅにディスク２ａ，２ｂ或いはカートリッジ２ｄを載置する。この時フロントドア６は、突起ピン６ｅがドアフレーム４のカム４ｄの円弧部４ｆと係合して回転自在な状態なので、戻しばね７の付勢力により矢印Ａ方向に回転しようとするが、フロントドア６のカムリブ６ｈがトレイ１の下面１ｄと係合しており、図に示す開状態で保持されている。
【００６５】
また、この時昇降プレート１３は矢印Ｘ２方向に移動した状態となっているので、サブベース９は昇降軸９ｂが昇降プレート１３の傾斜カム１３ａにより駆動されて矢印Ｄ方向に回転し、昇降軸９ｂが傾斜カム１３ａの下段１３ｂと係合している下降位置となっており、従って記録再生ユニット１０も下降位置の状態にある。
【００６６】
同様に、昇降プレート２５も矢印Ｘ２方向に移動した状態となっているので、サブベース２２は昇降軸２２ｂが昇降プレート２５の傾斜カム２５ａにより駆動されて矢印Ｄ方向に回転し、昇降軸２２ｂが傾斜カム２５ａの下段２５ｂと係合している下降位置となっており、従って記録再生ユニット２３も下降位置の状態にある。
【００６７】
次に、第一記録再生位置での記録再生の指令を出すと、トレイ移送手段によりトレイ１が矢印Ｙ２方向に移動して、第一記録再生位置である図７及び図１６の状態で停止する。するとフロントドア６は、カムリブ６ｈとトレイ１の下面１ｄ及び前面部１ｃとの係合が外れるので、戻しばね７の付勢力により矢印Ａ方向に回転して閉状態となる。この時、フロントドア６のパネル６ａの裏面周囲部６ｂと気密材シート５の間にはまだ隙間αが開いている状態である。また、フロントドア６の突起ピン６ｅはドアフレーム４のカム４ｄの円弧部４ｆと水平部４ｅの切換点に位置しており、フロントドア６は矢印Ｂ方向或いは矢印Ｙ２方向のどちらにも動作が可能な状態にある。
【００６８】
また、戻しばね７は一端７ｂと他端７ｃとの配置角度βにより発生する分力で矢印Ｙ１方向に移動するので、コイル部７ａと係合しているフロントドア６の支持ピン６ｆが駆動されて、フロントドア６も矢印Ｙ１方向に移動している。
【００６９】
続けて、昇降手段駆動機構により昇降プレート１３が矢印Ｘ１方向に移動するので、サブベース９は昇降軸９ｂが昇降プレート１３の傾斜カム１３ａにより駆動されて矢印Ｃ方向に回転し、昇降軸９ｂが傾斜カム１３ａの上段１３ｃと係合する、図１２（ａ）に示す上昇位置となる。従って記録再生ユニット１０も上昇位置となり、記録再生ユニット１０のターンテーブル１０ａ上にディスク２ａ，２ｂ或いはカートリッジ２ｄ内のディスク２ｃをクランパー１１とともに保持した、図６及び図１５に示す状態になる。なお、この時昇降プレート２５は移動しないので、サブベース２２及び記録再生ユニット２３は下降位置の状態のままである。
【００７０】
この時、サブベース９の矢印Ｃ方向への回転に伴い、サブベース９の駆動板部９ｄがドアレバー１９の右突起カム１９ｃと係合して、ドアレバー１９を矢印Ｅ方向に回転させる。すると、ドアレバー１９の側面カム部１９ｂがフロントドア６の軸部６ｄを矢印Ｙ２方向に移動させるとともに、フロントドア６の突起ピン６ｅがドアフレーム４のカム４ｄの水平部４ｅと係合するので、フロントドア６全体が矢印Ｙ２方向に移動することになり、フロントドア６のパネル６ａの裏面周囲部６と気密材シート５が当接した後、圧縮されて隙間がなくなり、開口穴３ａ及び４ａが閉塞された状態になる。
【００７１】
そして、記録再生ユニット１０上のディスク２ａ，２ｂ或いはカートリッジ２ｄ内のディスク２ｃを回転させ、光ピックアップ１２により記録または再生が開始される。
【００７２】
次に、記録再生が終了し、ディスク２ａ，２ｂ及びカートリッジ２ｄを回収するべく指令を出すと、前記とは逆の動作となり、図６及び図１５に示す状態から昇降手段駆動機構により昇降プレート１３が矢印Ｘ２方向に移動するので、サブベース９が矢印Ｄ方向に回転して、サブベース９及び記録再生ユニット１０が下降位置になるとともに、ディスク２ａ，２ｂはトレイ１の大径段部１ａ或いは小径段部１ｂに、カートリッジ２ｄはカートリッジ段部１ｅに戻される。
【００７３】
同時に、サブベース９の矢印Ｄ方向への回転に伴い、サブベース９の駆動板部９ｄとドアレバー１９の突起カム１９ｃとの係合が外れるので、ドアレバー１９はレバー戻しばね２０の付勢力によって矢印Ｆ方向に回転する。すると図１６に示すように、ドアレバー１９の側面カム部１９ｂによる軸部６ｄの矢印Ｙ２方向への移動が開放されるので、フロントドア６は戻しばね７の付勢力によって矢印Ｙ１方向へ移動する。なお、突起ピン６ｅがドアフレーム４のカム４ｄの水平部４ｅと係合しているので、この時にフロントドア６が矢印Ｂ方向に回転することはない。
【００７４】
その後、図７に示すように、フロントドア６の突起ピン６ｅがドアフレーム４のカム４ｄの円弧部４ｆと水平部４ｅの切換点に位置する、フロントドア６が矢印Ｂ方向或いは矢印Ｙ２方向のどちらにも動作が可能な状態に戻る。また、フロントドア６のパネル６ａの裏面周囲部６ｂも、気密材シート５との間に隙間αが開いた状態に戻る。
【００７５】
続けて、トレイ移送手段によりトレイ１が矢印Ｙ１方向に移動して、トレイ１の前面部１ｃにフロントドア６のカムリブ６ｈが当接するので、フロントドア６は、戻しばね７の付勢力に逆らって矢印Ｂ方向に回転する。そして、フロントドア６が図８に示す状態まで回転すると、カムリブ６ｈはトレイ１の下面１ｄと当接するようになるので、フロントドア６はその開状態で保持されたまま、トレイ１はさらに矢印Ｙ１方向に移動して着脱位置となり停止する。
【００７６】
そして、ディスク２ａ，２ｂ及びカートリッジ２ｄを回収することができる。
【００７７】
次に、この状態から、別のディスク２ａ，２ｂ及びカートリッジ２ｄをトレイ１に載置し、第二記録再生位置での記録再生の指令を出すと、まずトレイ移送手段によりトレイ１が矢印Ｙ２方向に移動して、第一記録再生位置である図７及び図１６の状態で停止する。その後、スライドベース移動手段によりスライドベース１８が、ディスク２ａ，２ｂ及びカートリッジ２ｄが載置されたトレイ１、クランパー１１及びクランプ板１４とともに矢印Ｘ１方向に移動し、矢印Ｘ１方向への移動が完了した、図１１に示す第二記録再生位置で停止する。
【００７８】
この間のフロントドア６及び関連各部品の動作は、第一記録再生位置での記録再生の場合と同一であり、図７及び図１６に示す状態になっている。
【００７９】
続けて、昇降手段駆動機構により昇降プレート２５が矢印Ｘ１方向に移動するので、サブベース２２は昇降軸２２ｂが昇降プレート２５の傾斜カム２５ａにより駆動されて矢印Ｃ方向に回転し、昇降軸２２ｂが傾斜カム２５ａの上段２５ｃと係合する、図１２（ｂ）に示す上昇位置となる。従って記録再生ユニット２３も上昇位置となり、記録再生ユニット２３のターンテーブル２３ａ上にディスク２ａ，２ｂ或いはカートリッジ２ｄ内のディスク２ｃをクランパー１１とともに保持した、図６及び図１５に示す状態になる。なお、この時昇降プレート１３は移動しないので、サブベース９及び記録再生ユニット１０は下降位置の状態のままである。
【００８０】
この時、サブベース２２の矢印Ｃ方向への回転に伴い、サブベース２２の駆動板部２２ｃがドアレバー１９の左突起カム１９ｄと係合して、ドアレバー１９を矢印Ｅ方向に回転させる。すると、ドアレバー１９の側面カム部１９ｂがフロントドア６の軸部６ｄを矢印Ｙ２方向に移動させるとともに、フロントドア６の突起ピン６ｅがドアフレーム４のカム４ｄの水平部４ｅと係合するので、フロントドア６全体が矢印Ｙ２方向に移動することになり、フロントドア６のパネル６ａの裏面周囲部６と気密材シート５が当接した後、圧縮されて隙間がなくなり、開口穴３ａ及び４ａが閉塞された状態になる。
【００８１】
そして、記録再生ユニット２３上のディスク２ａ，２ｂ或いはカートリッジ２ｄ内のディスク２ｃを回転させ、光ピックアップ２４より記録または再生が開始される。
【００８２】
次に、記録再生が終了し、ディスク２ａ，２ｂ及びカートリッジ２ｄを回収するべく指令を出すと、前記とは逆の動作となり、図６及び図１５に示す状態から昇降手段駆動機構により昇降プレート２５が矢印Ｘ２方向に移動するので、サブベース２２が矢印Ｄ方向に回転して、サブベース２２及び記録再生ユニット２３が下降位置になるとともに、ディスク２ａ，２ｂはトレイ１の大径段部１ａ或いは小径段部１ｂに、カートリッジ２ｄはカートリッジ段部１ｅに戻される。
【００８３】
同時に、サブベース２２の矢印Ｄ方向への回転に伴い、サブベース２２の駆動板部２２ｃとドアレバー１９の左突起カム１９ｄとの係合が外れるので、ドアレバー１９はレバー戻しばね２０の付勢力によって矢印Ｆ方向に回転する。すると図１６に示すように、ドアレバー１９の側面カム部１９ｂによる軸部６ｄの矢印Ｙ２方向への移動が開放されるので、フロントドア６は戻しばね７の付勢力によって矢印Ｙ１方向へ移動し、第一記録再生位置での記録再生の場合と同様に、図７に示す状態に戻る。
【００８４】
次に、スライドベース移動手段によりスライドベース１８が、ディスク２ａ，２ｂ及びカートリッジ２ｄが載置されたトレイ１、クランパー１１及びクランプ板１４とともに矢印Ｘ２方向に移動し、矢印Ｘ２方向への移動が完了した、図１０に示す第一記録再生位置で停止する。
【００８５】
続けて、トレイ移送手段によりトレイ１が矢印Ｙ１方向に移動して着脱位置となり停止する。この間のフロントドア６及び関連各部品の動作も、第一記録再生位置での記録再生の場合と同一であり、図８及び図１７に示す状態になっている。
【００８６】
そして、ディスク２ａ，２ｂ及びカートリッジ２ｄを回収することができる。
【００８７】
なお、図１４の部分拡大図に示すように、フロントドア６の軸部６ｄの長さを短くしてねじ２６を取付け、ねじ２６の頭部を軸部６ｄとして用いることも可能である。フロントドア６の軸部６ｄの長さを短くすることで、ドアフレーム４の袋形状部４ｂに設けられたガイド穴４ｃへの挿入組込みが容易になるとともに、ねじ２６を後工程で取付けることで、組立作業を簡単で確実なものにすることができる。
【００８８】
以上のように本実施例によれば、請求項３に記載した発明に関し、装置内に、ディスク２ａ，２ｂ及び内部にディスク２ｃを有しているカートリッジ２ｄをターンテーブル１０ａ或いは２３ａ上に保持して記録または再生する記録再生ユニット１０及び２３と、記録再生ユニット１０及び２３を選択的に矢印Ｃ−Ｄ方向に回転させてターンテーブル１０ａ或いは２３ａ上にディスク２ａ，２ｂ及びカートリッジ２ｄ内のディスク２ｃを保持する昇降プレート１３及び２５と、トレイ１を記録再生ユニット１０及び２３の配置位置に往復搬送するスライドベース移動手段とを有し、フロントドア６の軸部６ｄと係合するカム部１９ｂを形成するとともに、記録再生ユニット１０及び２３と係合する右突起カム１９ｃと左突起カム１９ｄを形成したドアレバー１９を設けて、トレイ１の矢印Ｙ１−Ｙ２方向への移動に伴ってフロントドア６が矢印Ａ−Ｂ方向に回転するとともに、昇降プレート１３及び２５の選択的な矢印Ｘ１−Ｘ２方向への移動に伴って、フロントドア６が矢印Ｙ１−Ｙ２方向に移動するように構成したことにより、カム部１９ｂがフロントドア６の軸部６ｄと係合しているドアレバー１９の、右突起カム１９ｃは記録再生ユニット１０が取付けられたサブベース９の駆動板部９ｄと、左突起カム１９ｄは記録再生ユニット２３が取付けられたサブベース２２の駆動板部２２ｃと係合しているので、昇降プレート１３及び２５の選択的な矢印Ｘ１方向への移動によって、記録再生ユニット１０及び２３のいずれが矢印Ｃ方向に回転してもドアレバー１９が矢印Ｅ方向に回転することになり、フロントドア６が矢印Ｙ２方向に移動して、当接する開口穴３ａ及び４ａの周囲に取り付けられた気密材シート５を圧縮することができ、塵埃の侵入を防ぐことができるという有利な効果が得られる。
【００８９】
また請求項４に記載した発明に関し、フロントドア６の軸部６ｄをねじ２６の頭部で構成したことにより、後工程で取付けが可能なねじ２６の頭部をフロントドア６の軸部６ｄとして用いることで、安価且つ少ない部品点数で、容易な組立方法を実現することができるという有利な効果が得られる。
【産業上の利用可能性】
【００９０】
以上のように、本発明にかかるディスクドライブ装置のフロントドア開閉機構は、光ディスクや光磁気ディスク等の記録媒体を装置内に搬送して、その記録媒体に記録及び再生を行う装置等の、装置内に記録媒体を収納或いは突出するために前面部に設けられた挿入口からの塵埃進入を防止する機構として、さらに、記録媒体の回転による振動音や風切り音を遮断する機構等として有用であり、特に記録媒体の大容量化、高密度記録化、高速化等に適している。
【図面の簡単な説明】
【００９１】
【図１】本発明の実施の形態１に於けるディスクドライブ装置の、全体を示す斜視図
【図２】同図１の上面図（トップカバー１５を除く）
【図３】同図１の正面図
【図４】同図２のａ−ａ断面図
【図５】同図３のｂ−ｂ断面図
【図６】同図４の、動作を説明するための部分拡大図
【図７】同図４の、動作を説明するための部分拡大図
【図８】同図４の、動作を説明するための部分拡大図
【図９】本発明の実施の形態２に於けるディスクドライブ装置の、全体を示す斜視図
【図１０】同図９の上面図（トップカバー１５を除く）
【図１１】同図９の上面図（トップカバー１５を除く）
【図１２】同図９の正面図
【図１３】同図１０のａ−ａ断面図
【図１４】同図１２のｂ−ｂ断面図
【図１５】同図１３の、動作を説明するための部分拡大図
【図１６】同図１３の、動作を説明するための部分拡大図
【図１７】同図１３の、動作を説明するための部分拡大図
【符号の説明】
【００９２】
１    トレイ
１ａ    大径段部
１ｂ    小径段部
１ｃ    前面部
１ｄ    下面
１ｅ    カートリッジ段部
２ａ    ディスク
２ｂ    ディスク
２ｃ    ディスク
２ｄ    カートリッジ
３    メカシャーシ
３ａ    開口穴
３ｂ    軸受け部
３ｃ    軸受け部
４    ドアフレーム
４ａ    開口穴
４ｂ    袋形状部
４ｃ    ガイド穴
４ｄ    カム
４ｅ    水平部
４ｆ    円弧部
４ｇ    傾斜面
４ｈ    軸受け
５    気密材シート
６    フロントドア
６ａ    パネル
６ｂ    裏面周囲部
６ｃ    アーム部
６ｄ    軸部
６ｅ    突起ピン
６ｆ    支持ピン
６ｇ    フック
６ｆ    支持ピン
６ｈ    カムリブ
７    戻しばね
７ａ    コイル部
７ｂ    一端
７ｃ    他端
８    フローティング部
９    サブベース
９ａ    軸部
９ｂ    昇降軸
９ｃ    駆動カム
９ｄ    駆動板部
１０    記録再生ユニット
１１    クランパー
１２    光ピックアップ
１３    昇降プレート
１３ａ    傾斜カム
１３ｂ    下段
１３ｃ    上段
１４    クランプ板
１５    トップカバー
１６    ガイド軸
１７    ガイド板
１８    スライドベース
１９    ドアレバー
１９ａ    軸部
１９ｂ    側面カム部
１９ｃ    右突起カム
１９ｄ    左突起カム
２０    レバー戻しばね
２１    フローティング部
２２    サブベース
２２ａ    軸部
２２ｂ    昇降軸
２２ｃ    駆動板部
２３    記録再生ユニット
２４    光ピックアップ
２５    昇降プレート
２５ａ    傾斜カム
２５ｂ    下段
２５ｃ    上段
２６    ねじ
【図１】
2005327329.tif 000003
【図２】
2005327329.tif 000004
【図３】
2005327329.tif 000005
【図４】
2005327329.tif 000006
【図５】
2005327329.tif 000007
【図６】
2005327329.tif 000008
【図７】
2005327329.tif 000009
【図８】
2005327329.tif 000010
【図９】
2005327329.tif 000011
【図１０】
2005327329.tif 000012
【図１１】
2005327329.tif 000013
【図１２】
2005327329.tif 000014
【図１３】
2005327329.tif 000015
【図１４】
2005327329.tif 000016
【図１５】
2005327329.tif 000017
【図１６】
2005327329.tif 000018
【図１７】
2005327329.tif 000019